(57)【特許請求の範囲】
【請求項１】
スピーカが取り付けられ、且つ電池収容用の開口部を有し、内部に前記スピーカの音響空間が形成されたケースと、
前記ケース内にその内外方向に向けて移動可能に設けられ、前記電池収容用の開口部を開閉可能に塞ぐ電池収納蓋と、
この電池収納蓋に着脱可能に取り付けられ、且つ前記電池収容用の開口部を通して前記ケース内に挿脱可能に収納される電池ボックスと
を備えていることを特徴とする音響装置。
【請求項２】
請求項１に記載の音響装置において、前記電池収納蓋が前記電池収容用の開口部を塞ぐ位置と、前記ケース内に前記電池ボックスが収納される位置とに、前記電池収納蓋を移動可能にガイドするガイド部を備えていることを特徴とする音響装置。
【請求項３】
請求項１または請求項２に記載の音響装置において、前記電池収納蓋が前記電池収容用の開口部を塞ぐ位置に前記電池収納蓋を位置規制するためのフック部を備えていることを特徴とする音響装置。  
【請求項４】
請求項１〜請求項３のいずれかに記載の音響装置において、前記電池収納蓋に係脱可能に係止されることにより、前記電池ボックスを前記電池収納蓋に取り付けるための取付部を備えていることを特徴とする音響装置。
【請求項５】
請求項２に記載の音響装置において、前記電池収納蓋が前記電池収容用の開口部を塞いでいる状態のときに、前記ガイド部に対する前記フック部による位置規制を解除するロック解除部を備えていることを特徴とする音響装置。
【請求項６】
請求項２に記載の音響装置において、前記ケース内に前記電池ボックスが収納された際に、前記ガイド部の一部に弾力的に係合して前記電池ボックスを位置規制するための弾性係止部を備えていることを特徴とする音響装置。
【発明の詳細な説明】
【技術分野】
【０００１】
この発明は、スピーカを備えた音響装置に関する。
【背景技術】
【０００２】
例えば、音響装置としての電子楽器があり、特許文献１に記載されているように、楽器ケースに鍵盤部が上側に露出した状態で設けられていると共に、この楽器ケース内にスピーカが設けられ、このスピーカで鍵盤部の押鍵操作に応じた楽音を放音するように構成されたものが知られている。
【先行技術文献】
【特許文献】
【０００３】
【特許文献１】特開平０８−３１４４５９号公報
【０００４】
このような電子鍵盤楽器では、室内で演奏する際には室内の電源を楽器ケースに接続して演奏し、電源のない屋外で演奏する際には楽器ケース内に設けられた電池ボックス内の電池で電源を供給して演奏するように構成されている。
【発明の概要】
【発明が解決しようとする課題】
【０００５】
しかしながら、このような電子鍵盤楽器においては、楽器ケース内に電池ボックスを設けてしまうと、この電池ボックスによって楽器ケース内の音響空間が狭くなり、電池ボックスの電源を用いずに室内の電源を使用する際にも、音響空間を広くすることができないため、音響特性を向上させることができないという問題がある。
【０００６】
この発明が解決しようとする課題は、使用状況に応じて音響空間を良好に確保して音響特性を向上させることができる音響装置を提供することである。
【課題を解決するための手段】
【０００７】
この発明は、スピーカが取り付けられ、且つ電池収容用の開口部を有し、内部に前記スピーカの音響空間が形成されたケースと、前記ケース内にその内外方向に向けて移動可能に設けられ、前記電池収容用の開口部を開閉可能に塞ぐ電池収納蓋と、この電池収納蓋に着脱可能に取り付けられ、且つ前記電池収容用の開口部を通して前記ケース内に挿脱可能に収納される電池ボックスとを備えていることを特徴とする音響装置である。
【発明の効果】
【０００８】
この発明によれば、電池ボックスを電源として使用する際に、電池ボックスを楽器ケース内に収納することができ、電池ボックスを使用しないときに、電池ボックスを楽器ケース内から取り出すことができる。このため、使用状況に応じて楽器ケース内の音響空間を広くしたり狭くしたりすることができ、これにより使用状況に応じて音響空間を良好に確保して音響特性を向上させることができる。
【図面の簡単な説明】
【０００９】
【図１】この発明を電子鍵盤楽器に適用した一実施形態を示した平面図である。
【図２】図１に示された電子鍵盤楽器において、上部ケースを取り外した状態を示した斜視図である。
【図３】図１に示された電子鍵盤楽器のＡ−Ａ矢視における拡大断面図である。
【図４】図２に示された電子鍵盤楽器のＢ−Ｂ矢視における拡大断面図である。
【図５】図２に示された電子鍵盤楽器における電池ボックスの収納部分を示した要部の拡大斜視図である。
【図６】図５に示された電池収納蓋を示した拡大斜視図である。
【図７】図６に示された電池収納蓋の下面に取り付けられる電池ボックスを示した拡大斜視図である。
【図８】図３に示された電子鍵盤楽器の楽器ケース内から電池ボックスを取り出した状態を示した要部の拡大断面図である。
【図９】図４に示された電子鍵盤楽器の楽器ケース内から電池ボックスを取り出した状態を示した要部の拡大断面図である。
【図１０】図９に示された電子鍵盤楽器におけるＡ部を示した拡大断面図である。
【図１１】図４に示された電子鍵盤楽器におけるＢ部を示し、（ａ）はその拡大断面図、（ｂ）は電池ボックスの係止部を電池収納蓋の縁部に係止させる前の状態を示した拡大断面図である。
【図１２】図９に示された電子鍵盤楽器におけるＣ部を示し、（ａ）は電池収納蓋のフック部がガイドリブ部の係止凹部に係合している状態を示した拡大断面図、（ｂ）は電池ボックスのロック解除部がスライドしてフック部の操作突起を押し下げる状態を示した拡大断面図、（ｃ）はロック解除部がフック部の操作突起を押し下げてフック部の係合部を係止凹部から離脱させた状態を示した拡大断面図である。
【発明を実施するための形態】
【００１０】
以下、図１〜図１２を参照して、この発明を電子鍵盤楽器に適用した一実施形態について説明する。
この電子鍵盤楽器は、図１〜図３に示すように、楽器ケース１を備えている。この楽器ケース１は、上部ケース２と下部ケース３とで構成されている。
【００１１】
下部ケース３は、図２および図３に示すように、鍵盤シャーシを兼ねるものであり、その前側上部（図３では左側上部）に鍵盤部４が設けられている。鍵盤部４は、図１〜図３に示すように、白鍵および黒鍵からなる複数の鍵５が、下部ケース３上に並列に配列された状態で、上下方向に回転可能に取り付けられた構成になっている。
【００１２】
上部ケース２は、鍵盤部４の後方に位置する下部ケース３の後部（図３では右側部）および鍵盤部４の両側部（図３では左右の両側部）に位置する下部ケース３の両側部上に配置され、鍵盤部４の後端部（図３では右端部）を除いて、鍵盤部４を上側に露呈させるように構成されている。
【００１３】
この上部ケース２の両側部には放音用の開口部が設けられ、図１および図３に示すように、これらの開口部にスピーカ６がそれぞれ取り付けられる。このスピーカ６は、鍵盤部４の鍵５の操作に応じて楽音を放音するためのものであり、上部ケース２の内面（図３では下面）に上向き状態、つまり上部ケース２の上方に向けて音を放音する状態で開口部に取り付けられている。
【００１４】
また、この上部ケース２の中間部には、表示部７およびスイッチ部８が設けられている。表示部７は、図１に示すように、液晶表示パネルやＥＬ（エレクトロ・ルミネッセンス）表示パネルなどの平面型の表示パネルからなり、楽器に必要な情報を電気光学的に表示するように構成されている。スイッチ部８は、電源スイッチ、音量スイッチ、音色選択スイッチなどの各種のスイッチを備え、これらスイッチが表示部７の周囲に配列された状態で設けられている。
【００１５】
ところで、下部ケース３内における後部の両側部には、図２に示すように、補強リブ部１０がそれぞれ設けられている。この補強リブ部１０は、スピーカ６に対応する箇所の下部ケース３の強度を補強して、楽器ケース１の強度を確保するためのものであり、格子状のリブ１０ａと、複数の円柱状のリブ１０ｂとを備えている。
【００１６】
また、この下部ケース３内の後部における中間部には、図２および図３に示すように、電池ボックス１１が挿脱可能に収納されるように構成されている。この場合、下部ケース３の底部には、図３および図８に示すように、電池ボックス１１が挿入する開口部１２が楽器ケース１の内外（図３では上下）に貫通して設けられている。
【００１７】
この開口部１２は、図３および図８に示すように、電池ボックス１１と電池収納蓋１３とのいずれかによって開放可能に塞がれるように構成されている。この場合、電池収納蓋１３は、図２〜図７に示すように、電池ボックス１１が着脱可能に取り付けられると共に、下部ケース３の底部上に設けられたガイドリブ部１４によって楽器ケース１の内外方向である上下方向にガイドされるように構成されている。
【００１８】
ガイドリブ部１４は、図２〜図５に示すように、下部ケース３の底部における開口部１２の周囲に沿ってほぼ長方形の枠状に形成されている。電池収納蓋１３は、図３および図６に示すように、ほぼ長方形の平板状に形成され、ガイドリブ部１４内に上下方向に移動可能に配置されるように構成されている。電池ボックス１１は、図３および図７に示すように、その上面が開放されたほぼ長方形の箱状に形成され、ガイドリブ部１４内に出没可能に配置されるように構成されている。
【００１９】
電池ボックス１１は、図４および図９に示すように、電池収納蓋１３に対して着脱可能に取り付けられるように構成されている。すなわち、この電池ボックス１１の上端部には、図７および図１１に示すように、電池収納蓋１３の外周部に位置する縁部１３ａに係脱可能に係止される複数の取付片１５が設けられていると共に、後述する複数のロック解除片１６が設けられている。
【００２０】
また、この電池ボックス１１の側面下部には、図３、図４および図７に示すように、電池ボックス１１がガイドリブ部１４内に挿入されて配置された際に、ガイドリブ部１４の下部に設けられた後述する係止凹部２２内に弾力的に係止される複数の弾性係止部１７が設けられている。これにより、電池ボックス１１は、弾性係止部１７がガイドリブ部１４の係止凹部２２内に弾力的に係止された際に、ガイドリブ部１４内に位置規制され、これにより電池収納蓋１３をガイドリブ部１４の上限位置に位置規制するように構成されている。
【００２１】
一方、電池収納蓋１３は、図４および図９に示すように、ガイドリブ部１４によって上下方向にガイドされるように構成されている。すなわち、この電池収納蓋１３の周縁部には、図６に示すように、複数のガイド突起１８と複数のフック部１９とがそれぞれ設けられている。複数のガイド突起１８は、電池収納蓋１３の周縁部上に立上り、この立ち上がった先端が水平方向に向けて延び、この延びた先端部が電池収納蓋１３の周縁部から側方に向けて突出して形成されている。
【００２２】
また、複数のフック部１９は、図４および図９に示すように、電池収納蓋１３の周縁部に盛り上って設けられた下側が中空状の凸部１９ａと、この凸部１９ａの外端部が下側に向けて折り曲げられ、この折り曲げられた下部が上方に向けて折り返された折返し部１９ｂと、この折返し部１９ｂの上端部に設けられた係合部１９ｃと、折返し部１９ｂからガイドリブ部１４の内側に向けて突出した操作突起１９ｄとを備えている。
【００２３】
このフック部１９は、図９に示すように、電池収納蓋１３がガイドリブ部１４の下部に位置して下部ケース３の開口部１２を塞いだ際に、係合部１９ｃがガイドリブ部１４の下部に設けられた後述する係止凹部２２内に係止されるように構成されている。また、このフック部１９は、図１２（ａ）に示すように、その凸部１９ａの下側に電池ボックス１１のロック解除片１６が挿入してスライドするように構成されている。
【００２４】
また、このフック部１９は、図１１（ａ）および図１２（ｂ）に示すように、電池ボックス１１が電池収納蓋１３に対してスライドして電池ボックス１１の取付片１５が電池収納蓋１３の縁部１３ａに係止された際に、ロック解除片１６が折返し部１９ｂの操作突起１９ｄを押し下げて係合部１９ｃを変位させることにより、図１２（ｃ）に示すように、係合部１９ｃをガイドリブ部１４の係止凹部２２内から離脱させ、ガイドリブ部１４の係止凹部２２に対する係合部１９ｃの係合が解除されるように構成されている。
【００２５】
一方、ガイドリブ部１４には、図２および図５に示すように、電池収納蓋１３の複数のガイド突起１８をそれぞれ上下方向にガイドする複数の第１ガイド溝２０と、複数のフック部１９をそれぞれ上下方向にガイドする複数の第２ガイド溝２１と、複数のフック部１９を係脱可能に係止する係止凹部２２とが設けられている。この場合、第１ガイド溝２０に対応する下部ケース３上には、図９および図１０に示すように、電池収納蓋１３のガイド突起１８を係脱可能に係止する突起係止片２３が設けられている。
【００２６】
第１ガイド溝２０は、図５に示すように、ガイドリブ部１４の下部から上部に亘って設けられ、電池収納蓋１３のガイド突起１８を上下方向にガイドして下限位置と上限位置とに規制するように構成されている。この場合、電池収納蓋１３のガイド突起１８は、図９および図１０に示すように、第１ガイド溝２０によって下限位置にガイドされた際に、ガイド突起１８の外端部が突起係止片２３に係止されるように構成されている。
【００２７】
第２ガイド溝２１は、図２、図４および図５に示すように、ガイドリブ部１４の下部から上端部に亘り、この上端部から上方に開放されて設けられ、電池収納蓋１３のフック部１９を上下方向にガイドするように構成されている。この場合、電池収納蓋１３のフック部１９は、図４に示すように、電池収納蓋１３がガイドリブ部１４の上限位置に移動した際に、フック部１９の係合部１９ｃがガイドリブ部１４の上方に突出するように構成されている。
【００２８】
係止凹部２２は、図９および図１２に示すように、第２ガイド溝２１に対応するガイドリブ部１４の下部に設けられ、電池収納蓋１３がガイドリブ部１４の下部に位置した際に、フック部１９の係合部１９ｃが係合するように構成されている。これにより、電池収納蓋１３は、ガイドリブ部１４の下部に位置して下部ケース３の開口部１２を塞いだ際に、フック部１９の係合部１９ｃがガイドリブ部１４の係止凹部２２内に係止されて、下限位置に位置規制されるように構成されている。
【００２９】
また、この係止凹部２２は、図３および図４に示すように、電池ボックス１１がガイドリブ部１４内に挿入されて配置された際に、電池ボックス１１の側面下部に設けられた複数の弾性係止部１７を弾力的に係止するように構成されている。これにより、電池ボックス１１は、弾性係止部１７がガイドリブ部１４の係止凹部２２内に弾力的に係止された際に、ガイドリブ部１４内に位置規制され、電池収納蓋１３を上限位置に位置規制するように構成されている。
【００３０】
ところで、電池ボックス１１は、図７に示すように、その内部に複数の乾電池（図示せず）が収納されるように構成されている。この電池ボックス１１の上端部には、複数の乾電池の各電極が電気的に接続される電池接続部２４がビス２４ａによって取り付けられている。また、電池収納蓋１３の上面には、図３および図５に示すように、電源基板２５がビス２５ａによって取り付けられている。
【００３１】
この電源基板２５には、図３に示すように、基板接続部２６が電池ボックス１１の電池接続部２４に対応して設けられている。この電源基板２５は、電池収納蓋１３の下面に電池ボックス１１が取り付けられた際に、電池ボックス１１の電池接続部２４と電源基板２５の基板接続部２６とが電気的に接続されるように構成されている。また、この電源基板２５は、楽器ケース１内に設けられた回路基板２７と接続ケーブル２８によって電気的に接続されている。
【００３２】
一方、楽器ケース１の背面には、図３に示すように、電源ジャック３０が設けられている。この電源ジャック３０は、楽器ケース１内に設けられた回路基板２７と接続ケーブル３１によって電気的に接続されている。また、この電源ジャック３０は、室内に設けられたコンセットなどの外部電源（図示せず）と電源コード３２によって電気的に接続されるように構成される。
【００３３】
これにより、この電子鍵盤楽器は、電池ボックス１１を楽器ケース１内に収納することにより、電池ボックス１１内の乾電池（図示せず）によって電源が供給されると共に、電池ボックス１１を取り外しても、室内のコンセットなどの外部電源から電源が供給されることにより、電池ボックス１１と室内のコンセットなどの外部電源とのいずれか一方から電源が供給されるように構成されている。
【００３４】
次に、このような電子鍵盤楽器の作用について説明する。
まず、電池ボックス１１を用いて電子鍵盤楽器を使用する場合には、電池ボックス１１を楽器ケース１内に配置する。このときには、図８および図９に示すように、電池収納蓋１３をガイドリブ部１４の下部に移動し、この状態で電池ボックス１１を電池収納蓋１３の下面に取り付ける。
【００３５】
すなわち、電池収納蓋１３がガイドリブ部１４の下部に配置されると、電池収納蓋１３が下部ケース３の開口部１２を塞いだ状態になり、電池収納蓋１３のガイド突起１８が下部ケース３内に設けられた突起係止片２３によって下限位置に位置規制される。この状態では、電池収納蓋１３における複数のフック部１９の各係合部１９ｃがガイドリブ部１４の側面下部に設けられた係合凹部２２内に係止され、電池収納蓋１３が開口部１２から下部ケース３の外部に露出する。
【００３６】
そして、この露出した電池収納蓋１３の外周部に位置する縁部１３ａに電池ボックス１１の複数の取付片１５を対応させると共に、電池収納蓋１３における複数のフック部１９の各凸部１９ａ内に電池ボックス１１の複数のロック解除片１６を挿入させる。この状態で、電池ボックス１１を電池収納蓋１３に対してスライドさせると、電池ボックス１１の複数の取付片１５が電池収納蓋１３の縁部１３ａに係止され、これにより電池ボックス１１が電池収納蓋１３に取り付けられる。
【００３７】
また、このときには、図１２（ａ）〜図１２（ｃ）に示すように、電池ボックス１１の複数のロック解除片１６が、電池収納蓋１３における複数のフック部１９の各凸部１９ａ内をスライドして、電池収納蓋１３における複数のフック部１９の各折返し部１９ｂに設けられた操作突起１９ｄを押し下げる。これにより、複数のフック部１９の各係合部１９ｃが変位してガイドリブ部１４の係合凹部２２内から離脱し、ガイドリブ部１４の係合凹部２２に対する複数のフック部１９における各係合部１９ｃの係合が解除される。
【００３８】
この状態で、電池ボックス１１を楽器ケース１内に押し込む。すると、突起係止片２３による電池収納蓋１３のガイド突起１８の係止が解除され、電池収納蓋１３が下部ケース３のガイドリブ部１４にガイドされながら上方に移動する。このときには、電池収納蓋１３の外周縁がガイドリブ部１４の内面に沿ってガイドされるほか、電池収納蓋１３のガイド突起１８がガイドリブ部１４の第１ガイド溝２０に沿ってガイドされると共に、電池収納蓋１３のフック部１９がガイドリブ部１４の第２ガイド溝２１に沿ってガイドされる。
【００３９】
このように電池収納蓋１３がガイドリブ部１４にガイドされながら上方に移動すると、この電池収納蓋１３の移動に伴って電池ボックス１１が下部ケース３の開口部１２を通してガイドリブ部１４内に挿入する。そして、電池収納蓋１３のガイド突起１８がガイドリブ部１４の第１ガイド溝２０の上端部に当接すると、電池ボックス１１がガイドリブ部１４内に配置される。
【００４０】
このときには、図３および図４に示すように、電池ボックス１１の側面下部に設けられた弾性係止部１７がガイドリブ部１４の下部に設けられた係止凹部２２内に弾力的に係止される。これにより、電池ボックス１１がガイドリブ部１４内に位置規制されて配置され、電池収納蓋１３がガイドリブ部１４の上部を塞いだ状態で、電池ボックス１１によって位置規制される。
【００４１】
この場合、電池ボックス１１が電池収納蓋１３の下面に取り付けられた際には、図３に示すように、電池収納蓋１３上に設けられた電源基板２５の基板接続部２６と電池ボックス１１の電池接続部２４とが電気的に接続される。これにより、電池ボックス１１内の乾電池が電源基板２５を介して回路基板２７と電気的に接続され、電池ボックス１１の電源が回路基板２７に供給され、スピーカ６が放音可能な状態になる。これにより、演奏者が鍵盤部４の各鍵５を押鍵操作すると、その押鍵操作に応じた楽音をスピーカ６から放音する。
【００４２】
一方、楽器ケース１の電源ジャック３０に室内などの外部電源を接続して電子鍵盤楽器を使用する場合には、楽器ケース１内から電池ボックス１１を取り出す。このときには、電池ボックス１１の側面下部に設けられた弾性係止部１７をガイドリブ部１４の下部に設けられた係止凹部２２内から離脱させ、ガイドリブ部１４に対する電池ボックス１１の位置規制を解除する。この状態で、電池ボックス１１を下部ケース３の開口部１２から下側に引き出す。
【００４３】
すると、電池収納蓋１３が下部ケース３のガイドリブ部１４にガイドされながら下側に移動する。このときには、電池収納蓋１３の外周縁がガイドリブ部１４の内面に沿ってガイドされるほか、電池収納蓋１３のガイド突起１８がガイドリブ部１４の第１ガイド溝２０に沿ってガイドされると共に、電池収納蓋１３のフック部１９がガイドリブ部１４の第２ガイド溝２１に沿ってガイドされる。
【００４４】
そして、電池収納蓋１３のガイド突起１８が下部ケース３の底部に当接すると、図９および図１０に示すように、このガイド突起１８が下部ケース３の突起係止片２３に係止されて下限位置に位置規制され、電池収納蓋１３が下部ケース３の開口部１２を塞ぐ。このときには、電池収納蓋１３のフック部１９の係合部１９ｃがガイドリブ部１４の下部に設けられた係止凹部２２に対応する。
【００４５】
この状態で、電池ボックス１１を電池収納蓋１３に対してスライドさせると、図１１に示すように、電池ボックス１１の取付片１５が電池収納蓋１３の縁部１３ａから離脱する。これにより、電池ボックス１１を電池収納蓋１３から取り外すことができる。また、このときには、図１２（ａ）に示すように、電池収納蓋１３に対する電池ボックス１１のスライドに伴って、電池ボックス１１のロック解除片１６が電池収納蓋１３のフック部１９の折返し部１９ｂに設けられた操作突起１９ｄから離れる。
【００４６】
これにより、電池ボックス１１のロック解除片１６によるフック部１９の操作突起１９ｄの押し下げが解除されるので、図１２（ａ）に示すように、フック部１９の折返し部１９ｂが弾性復帰して、フック部１９の係合部１９ｃがガイドリブ部１４の下部に設けられた係止凹部２２内に挿入して係止される。これにより、電池収納蓋１３が下部ケース３の開口部１２を塞いだ状態で、下部ケース３に対して位置規制される。
【００４７】
この状態で、下部ケース３上に設けられたガイドリブ部１４の上面側が開放された状態になる。このため、ガイドリブ部１４はその内部をスピーカ６の音響空間として利用することができる。これにより、演奏者が鍵盤部４の各鍵５を押鍵操作し、その押鍵操作に応じた楽音をスピーカ６から放音した際に、ガイドリブ部１４の内部が音響空間として機能するので、電池ボックス１１を用いた場合に比べて、スピーカ６の音響空間を広くすることができ、これにより低音域の音を良好に得ることができる。
【００４８】
このように、この電子鍵盤楽器によれば、スピーカ６が設けられ、内部に音響空間を有する楽器ケース１と、この楽器ケース１内に上下方向である内外方向に向けて移動可能に設けられて音響空間の容積を変化させ、且つ楽器ケース１に設けられた開口部１２を塞ぐ電池収納蓋１３と、この電池収納蓋１３に着脱可能に取り付けられ、且つ楽器ケース１の開口部１２を通して楽器ケース１内に挿脱可能に収納される電池ボックス１１とを備えているので、使用状況に応じてスピーカ６の音響空間を良好に確保して音響特性を向上させることができる。
【００４９】
すなわち、この電子鍵盤楽器では、電池ボックス１１を電源として使用する際に、電池ボックス１１を楽器ケース１内に収納することができ、電池ボックス１１を使用しないときに、電池ボックス１１を楽器ケース１内から取り出すことができる。このため、電池ボックス１１を使用しないときに、楽器ケース１内の音響空間を広くすることができる。これにより、使用状況に応じて楽器ケース１内の音響空間を良好に確保することができ、音響特性を向上させることができると共に、楽器ケース１の小型化を図ることができる。
【００５０】
また、この電子鍵盤楽器では、電池収納蓋１３が楽器ケース１の開口部１２を塞ぐ位置と、楽器ケース１内に電池ボックス１１が収納される位置とに、電池収納蓋１３を移動可能にガイドするガイドリブ部１４を備えていることにより、電池ボックス１１を楽器ケース１内に挿入する際、および電池ボックス１１を楽器ケース１内から取り出す際に、ガイドリブ部１４によって電池ボックス１１および電池収納蓋１３をガイドすることができ、これにより電池ボックス１１および電池収納蓋１３を円滑に且つ良好に移動させることができる。
【００５１】
すなわち、電池収納蓋１３には、複数のガイド突起１８が電池収納蓋１３の外周縁から突出して設けられており、ガイドリブ部１４には、複数のガイド突起１８をガイドする複数の第１ガイド溝２０が上下方向に沿って設けられていることにより、電池ボックス１１を電池収納蓋１３に取り付けた状態で、電池ボックス１１を楽器ケース１内に挿入する際、および電池ボックス１１を楽器ケース１内から取り出す際に、ガイドリブ部１４の第１ガイド溝２０によって電池収納蓋１３のガイド突起１８を確実に且つ良好にガイドすることができる。
【００５２】
この場合、電池ボックス１１は、その外側面がガイドリブ部１４の内側面によって上下方向にガイドされるので、電池ボックス１１を楽器ケース１内に挿入する際、および電池ボックス１１を楽器ケース１内から取り出す際に、ガイドリブ部１４の内側面によって電池ボックス１１を良好にガイドすることができ、これによっても電池ボックス１１および電池収納蓋１３を円滑に且つ良好に移動させることができる。
【００５３】
また、この電子鍵盤楽器では、電池収納蓋１３が楽器ケース１の開口部１２を塞ぐ位置に電池収納蓋１３を位置規制するためのフック部１９を備えていることにより、電池収納蓋１３が楽器ケース１の開口部１２を塞いだ際に、フック部１９によって電池収納蓋１３をガイドリブ部１４の下部に位置規制することができる。これにより、電池収納蓋１３から電池ボックス１１を取り外して楽器ケース１の開口部１２を電池収納蓋１３で塞ぐことにより、楽器ケース１内の音響空間を確実に且つ良好に広げることができる。
【００５４】
この場合、ガイドリブ部１４の下部には、電池収納蓋１３のフック部１９が係合する係合凹部２２が設けられていることにより、電池収納蓋１３がガイドリブ部１４によって下側にガイドされて楽器ケース１の開口部１２を塞いだ際に、電池収納蓋１３のフック部１９を係合凹部２２で係止することができ、これにより電池収納蓋１３をガイドリブ部１４の下部に確実に位置規制することができ、これにより楽器ケース１内に音響空間を確保することができる。
【００５５】
さらに、この電子鍵盤楽器では、電池収納蓋１３の外周部に位置する縁部１３ａに対して係脱可能に係止されて、電池ボックス１１を電池収納蓋１３に取り付けるための取付片１５を備えていることにより、電池収納蓋１３が楽器ケース１の開口部１２を塞いだ際に、電池収納蓋１３の縁部１３ａを楽器ケース１の下側に露呈させることができ、この状態で電池ボックス１１の取付片１５を電池収納蓋１３の縁部１３ａに係止させることができるので、電池ボックス１１を電池収納蓋１３に簡単に且つ確実に取り付けることができる。
【００５６】
また、この電子鍵盤楽器では、電池収納蓋１３が楽器ケース１の開口部１２を塞いでいる状態のときにガイドリブ部１４に対する電池ボックス１１のフック部１９による位置規制を解除するロック解除片１６を備えていることにより、電池ボックス１１のロック解除片１６によってガイドリブ部１４に対するフック部１９による位置規制を解除することができ、これにより電池ボックス１１を楽器ケース１内に挿入する際に、電池収納蓋１３をガイドリブ部１４に沿って円滑に且つ良好に移動させることができる。
【００５７】
すなわち、フック部１９は、電池収納蓋１３の周縁部に設けられた下側が中空状の凸部１９ａと、この凸部１９ａの先端に設けられて上方に向けて折り返された折返し部１９ｂと、この折返し部１９ｂの上端部に設けられた係合部１９ｃと、折返し部１９ｂに設けられた操作突起１９ｄとを有しており、電池ボックス１１のロック解除片１６は、その凸部１９ａの下側に挿入し、この状態で電池ボックス１１をスライドさせて電池ボックス１１の取付片１５を電池収納蓋１３の縁部１３ａに係止させた際に、折返し部１９ｂの操作突起１９ｄを押し下げて係合部１９ｃを変位させることができ、これにより係合部１９ｃをガイドリブ部１４の下部から確実に且つ良好に離脱させることができる。
【００５８】
さらに、この電子鍵盤楽器では、電池ボックス１１が楽器ケース１内に収納された際にガイドリブ部１４の係止凹部２２に係合して電池ボックス１１を位置規制する弾性係止部１７を備えていることにより、電池ボックス１１を楽器ケース１内のガイドリブ部１４内に収納した際に、電池ボックス１１の弾性係止部１７をガイドリブ部１４の係止凹部２２に弾力的に係止させることができ、これにより電池ボックス１１をガイドリブ部１４内に確実に且つ良好に位置規制して収納することができ、この電池ボックス１１によって電池収納蓋１３をも位置規制することができる。
【００５９】
なお、上述した実施形態では、電池ボックス１１内に乾電池を収納するように構成した場合について述べたが、これに限らず、例えば燃料電池を収納しても良く、またリチュームイオン電池を収納しても良く、さらには太陽電池などの電力を蓄えることができる充電池を設けた構成であっても良い。
【００６０】
また、上述した実施形態では、電子鍵盤楽器に適用した場合について述べたが、必ずしも電子鍵盤楽器である必要はなく、例えば電気ギターなどの電子弦楽器、サックスホーンなどの電子管楽器のほか、スピーカを備えた他の電子楽器に広く適用することができる。さらに他の音響装置にも適用することが可能である。
【００６１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６２】
（付記）
請求項１に記載の発明は、スピーカが取り付けられた放音用の開口部、及び電池収容用の開口部とを有し、内部に前記スピーカの音響空間が形成されたケースと、
前記ケース内にその内外方向に向けて移動可能に設けられ、前記電池収容用の開口部を開閉可能に塞ぐ電池収納蓋と、
この電池収納蓋に着脱可能に取り付けられ、且つ前記電池収容用の開口部を通して前記ケース内に挿脱可能に収納される電池ボックスと
を備えていることを特徴とする音響装置である。
【００６３】
請求項２に記載の発明は、請求項１に記載の音響装置において、前記電池収納蓋が前記電池収容用の開口部を塞ぐ位置と、前記ケース内に前記電池ボックスが収納される位置とに、前記電池収納蓋を移動可能にガイドするガイド部を備えていることを特徴とする音響装置である。
【００６４】
請求項３に記載の発明は、請求項１または請求項２に記載の音響装置において、前記電池収納蓋が前記電池収容用の開口部を塞ぐ位置に前記電池収納蓋を位置規制するためのフック部を備えていることを特徴とする音響装置である。
【００６５】
請求項４に記載の発明は、請求項１〜請求項３のいずれかに記載の音響装置において、前記電池収納蓋に係脱可能に係止されることにより、前記電池ボックスを前記電池収納蓋に取り付けるための取付部を備えていることを特徴とする音響装置である。
【００６６】
請求項５に記載の発明は、請求項１〜請求項４のいずれかに記載の音響装置において、前記電池収納蓋が前記電池収容用の開口部を塞いでいる状態のときに、前記ガイド部に対する前記フック部による位置規制を解除するロック解除部を備えていることを特徴とする音響装置である。
【００６７】
請求項６に記載の発明は、請求項１〜請求項５のいずれかに記載の音響装置において、前記ケース内に前記電池ボックスが収納された際に、前記ガイド部の一部に弾力的に係合して前記電池ボックスを位置規制するための弾性係止部を備えていることを特徴とする音響装置である。
【符号の説明】
【００６８】
１  楽器ケース
２  上部ケース
３  下部ケース
４  鍵盤部
６  スピーカ
１１  電池ボックス
１２  開口部
１３  電池収納蓋
１４  ガイドリブ部
１５  取付片
１６  ロック解除片
１７  弾性係止部
１８  ガイド突起
１９  フック部
１９ａ  凸部
１９ｂ  折返し部
１９ｃ  係合部
１９ｄ  操作突起
２０  第１ガイド溝
２１  第２ガイド溝
２２  係止凹部
２３  突起係止部
【図１】
0005786606.tif 000002
【図２】
0005786606.tif 000003
【図３】
0005786606.tif 000004
【図４】
0005786606.tif 000005
【図５】
0005786606.tif 000006
【図６】
0005786606.tif 000007
【図７】
0005786606.tif 000008
【図８】
0005786606.tif 000009
【図９】
0005786606.tif 000010
【図１０】
0005786606.tif 000011
【図１１】
0005786606.tif 000012
【図１２】
0005786606.tif 000013